(57)【要約】【課題】画角が小さくとも情報量を増加させる画像表示装置の提供。【解決手段】外光Ｌ’を透過するとともに、画像を投影するための一対の投影部３と、前記投影部３に表示させる前記画像を出力するための画像出力部１と、前記投影部３を当該投影部３の周縁部を回転中心としてそれぞれ独立して回動させて、前記画像を構成する光Ｌの入射角度θを調整する角度調整部５と、を有する画像表示装置。【選択図】図２
2017211425.tif 000002
【特許請求の範囲】
【請求項１】
外光を透過するとともに、画像を投影するための一対の投影部と、
前記投影部に表示させる前記画像を出力するための画像出力部と、
前記投影部を当該投影部の周縁部を回転中心としてそれぞれ独立して回動させて、前記画像を構成する光の入射角度を調整する角度調整部と、を有する画像表示装置。
【請求項２】
請求項１に記載の画像表示装置であって、
前記画像出力部は、前記投影部のそれぞれに異なる画像を出力し、
当該画像表示装置は、前記画像のそれぞれについて投影されるべき位置を決定する画像処理部を有し、
前記角度調整部は前記画像処理部が決定した前記位置に当該画像が投影されるように前記入射角度を調整することを特徴とする画像表示装置。
【請求項３】
請求項２に記載の画像表示装置であって、
前記画像処理部は、前記画像のそれぞれが互いに重複しないように前記位置を決定することを特徴とする画像表示装置。
【請求項４】
請求項１に記載の画像表示装置であって、
前記画像出力部は、前記投影部のそれぞれに同一の画像を出力し、
前記画像処理部は、前記画像の前記位置が当該画像表示装置の使用者のそれぞれの眼の視野内において同一の位置を占めるように当該画像の前記位置を決定することを特徴とする画像表示装置。
【請求項５】
請求項４に記載の画像表示装置であって、
前記角度調整部は、前記投影部を前記眼の光軸に対して垂直な第１回転軸及び／または前記第１回転軸に対して垂直な第２回転軸を中心として回動させることで前記入射角度を調整することを特徴とする画像表示装置。
【請求項６】
請求項４又は５に記載の画像表示装置であって、
前記使用者の視野内において、前記画像が表示される位置における前記外光の光量を制限するための調光手段を有することを特徴とする画像表示装置。
【請求項７】
請求項６に記載の画像表示装置であって、
前記調光手段はエレクトロクロミック素子であることを特徴とする画像表示装置。
【請求項８】
請求項１乃至７の何れか１つに記載の画像表示装置であって、
当該画像表示装置は、眼鏡型の形状を備えることを特徴とする画像表示装置。
【発明の詳細な説明】
【技術分野】
【０００１】
本発明は、画像表示装置に関する。
【背景技術】
【０００２】
使用者の頭部に装着されて眼前に透過型のディスプレイを配置して、使用者の周辺に存在する各種情報に関連した映像を表示する眼鏡型の画像表示装置が知られている（例えば特許文献１〜４等参照）。
【０００３】
しかしながら、このような画像表示装置では、情報を表示する部分の画角は視野全体に対して小さくせざるを得ない場合がある。このような場合には、文字の認識や細かな情報を必要とする写真等の画像のような情報量の大きい映像の表示が困難であった。
また、単に使用者の左右の眼に異なる画像を表示するのみでは、使用者の左右の眼で両眼視野闘争が生じてしまい、視認性が却って低下するという問題が生じてしまう。
【発明の概要】
【発明が解決しようとする課題】
【０００４】
本発明は、以上のような問題点に鑑みてなされたものであり、画角が小さくとも情報量を増加させる画像表示装置の提供を目的とする。
【課題を解決するための手段】
【０００５】
上述した課題を解決するため、本発明の画像表示装置は、外光を透過するとともに、画像を投影するための一対の投影部と、前記投影部に表示させる前記画像を出力するための画像出力部と、前記投影部を当該投影部の周縁部を回転中心としてそれぞれ独立して回動させて、前記画像を構成する光の入射角度を調整する角度調整部と、を有する。
【発明の効果】
【０００６】
本発明の画像表示装置によれば、画角が小さくとも情報量を増加させることが可能である。
【図面の簡単な説明】
【０００７】
【図１】本発明の実施形態に係る画像表示装置の全体構成の一例を示す側面図である。
【図２】図１に示した画像表示装置の装着例を示す平面図である。
【図３】本発明の実施形態に係るエレクトロクロミック素子の構成の一例を示す断面図である。
【図４】画像表示装置の制御を行う画像出力部と画像処理部の構成の一例を示す機能ブロック図である。
【図５】駆動部による表示部の水平方向の動作の一例を表す図である。
【図６】駆動部による表示部の上下方向の動作の一例を表す図である。
【図７】従来の画像表示装置の見え方の一例を示す模式図である。
【図８】両眼型画像表示装置の駆動部を用いた際の見え方の一例を示す模式図である。
【図９】本発明の第１の実施例に係る画像表示装置の見え方の一例を示す模式図である。
【図１０】本発明の第２の実施例に係る画像表示装置の見え方の一例を示す模式図である。
【発明を実施するための形態】
【０００８】
本発明の第１の実施形態の一例として図１に両眼型画像表示装置たる頭部装着ディスプレイとしての画像表示装置１００の概略構成を示す。
なお、以降の説明では、使用者Ａの前方方向に平行な方向をＺ方向とし、Ｚ方向に垂直な方向のうち、鉛直上方をＹ方向、Ｚ方向とＹ方向とに垂直な方向である水平方向をＸ方向とする。
【０００９】
画像表示装置１００は、本実施形態では使用者Ａの頭部に装着される眼鏡型の視認装置である。
画像表示装置１００は、使用者Ａの頭部に装着される眼鏡形状の筐体部１０１と、使用者Ａのそれぞれの眼の前に画像を投影するための一対の虚像形成部たる投影部３と、投影部３に表示する画像を出力するための投影手段たる画像出力部１と、を有している。
画像表示装置１００は、投影部３の周縁部を回転中心としてそれぞれ独立して回動させて画像を構成する光の眼への入射角度を調整する角度調整部たる駆動部５を有している。
画像表示装置１００は、画像が使用者Ａの左右の眼に表示されるべき位置を決定する制御部たる画像処理部２を有している。
【００１０】
筐体部１０１は、図２に示すように、使用者Ａの左右の眼前に形成された透明な前面部１０１ａと、前面部１０１ａの±Ｘ方向の両端に取り付けられ、使用者Ａの頭部に少なくとも一部が当接して前面部１０１ａを支持する側面部１０１ｂと、を有している。
【００１１】
画像出力部１は、筐体部１０１の使用者Ａの左右の側頭部側にそれぞれ取り付けられて、画像を投射するための投射型光学系を備えた画像投射装置である。
画像出力部１は、後述するように左右の投影部３に対してそれぞれ異なる画像を出力可能である。
【００１２】
投影部３は、初期状態において、図２に示すように、使用者Ａの左眼の光軸ＺＬと直交するように配置された左側投影部３Ｌと、使用者Ａの右眼の光軸ＺＲと直交するように配置された右側投影部３Ｒとを有している。なお、以降の説明において、特に左右の区別の必要のないときには投影部３との記載を用いる。
投影部３は、画像出力部１から出射された画像を構成する光Ｌを使用者Ａのそれぞれの眼に向けて反射する反射板３１を有している。
使用者Ａは、反射板３１によって反射された画像を、図２に示した画像領域Ｗの範囲内に存在する虚像として認識する。したがって、投影部３は、虚像形成部としての機能を有している。言い換えると、画像領域Ｗは、右眼と左眼のそれぞれの視野において画像が視認される領域である。
なお、反射板３１は本実施形態では透過型のハーフミラーを用いたが、ミラーであっても良いし、画像を構成する光Ｌを右眼左眼のそれぞれに向けて導く光学素子であれば、その構成は特に限定されるものではない。
【００１３】
光量調整部２１は、本実施形態では前面部１０１ａに取り付けられたエレクトロクロミック素子を用いた調光手段たる調光フィルターである。
光量調整部２１は、電圧を印加されることで透過率を制御する透過率制御手段であり、使用者Ａの眼に到達する外部からの光である外光Ｌ’の光量を制御する光量制御手段である。
なお、本実施形態では光量調整部２１は、エレクトロクロミック素子を用いるとしたが、例えば偏光板や遮光板のような、外光Ｌ’の光量を抑える部材であっても良い。また、フォトクロミック素子や液晶素子のように、光学的又は電気的制御により光量を調整する部材であっても良い。
なお、エレクトロクロミック素子は、フォトクロミック素子より光量調整の応答性に優れ、液晶素子に比べて、光透過率が広い範囲での光量調整が可能で、屋外でも日陰のところや直射日光が当たるところでも良好な視認性を確保することができる。
【００１４】
光量調整部２１は、図３に断面を示すように、最も＋Ｚ方向側に形成されたガラス基板４１と、ガラス基板４１に対向して最も−Ｚ方向側の反対側の面に設けられた対向基板４５と、ガラス基板４１と対向基板４５との間に形成された表示層４３と、を有している。
第１光量調整部２１は、表示層４３と対向基板４５との間に設けられた空隙層４６と、表示層４３とガラス基板４１との間に設けられた酸化チタン粒子層４２と、ガラス基板４１と対向基板４５とを連結して間隔を規定するスペーサ４４と、を有している。
【００１５】
空隙層４６は、周囲を表示層４３と、対向基板４５と、スペーサ４４とに囲まれた空間であり、空隙層４６の内部には、電解液が満たされている。
本実施形態では、電解液として、１−エチル−３−メチルイミダゾリウム・テトラシアノボレートを用いているが、特にかかる構成に限定されるものではない。
また、液体の電解質以外にも、ゲル状の電解質やポリマー電解質等の固体であっても良い。
【００１６】
ガラス基板４１は、１５０ｍｍ×８０ｍｍ程度のＩＴＯ導電膜付きフィルム基板である。
酸化チタン粒子層４２は、酸化チタンナノ粒子分散液を塗布されて形成された酸化チタン粒子の層である。
表示層４３は、後述するエレクトロクロミック化合物によって形成されるエレクトロクロミック層であり、±Ｚ方向の両面間に印加される電位差により、エレクトロクロミック化合物の還元反応が生じ吸収波長帯が変化して発色あるいは消色する。すなわち、透過する光束のスペクトル、強度が変化するので光量が変化する。言い換えると、表示層４３の両面に印加される電圧に応じて、外部光Ｌ’の透過率が任意に変化する。
【００１７】
エレクトロクロミック化合物は、下記の構造式（化１）で示される化合物である。かかるエレクトロクロミック化合物の１ｗｔ％２，２，３，３−テトラフロロプロパノール溶液を塗布液として、酸化チタン粒子層４２上にスピンコート法によって塗布されることで、エレクトロクロミック化合物の層が形成される。
【００１８】
【化１】
2017211425.tif 000003
【００１９】
さらに、１２０℃程度の温度で略１０分間アニール処理される加熱工程を経ることで、酸化チタン粒子層４２の表面にエレクトロクロミック化合物が吸着した表示層４３が形成される。
【００２０】
光量調整部２１は、かかるガラス基板４１、酸化チタン粒子層４２、表示層４３、空隙層４６等の各層の作用によって、外部光Ｌ’の透過率を電気信号によって制御するエレクトロクロミックデバイスである。
本実施形態では、光量調整部２１は、印加される電圧に応じて、全光透過率を２〜８０％の間の任意の数値に切り替えられる。
【００２１】
なお、酸化チタン粒子層４２は、酸化チタンに限定されるものではなく、酸化アルミニウム、酸化亜鉛、シリカ、酸化セシウム、酸化イットリウムなどであってもよい。
【００２２】
画像処理部２は、図４に示すように、外部装置や、画像表示装置１００内に備えられたコンピュータなどの情報処理装置から入力されたデータを含む画像情報を処理する入力情報処理回路２２を有している。
画像処理部２は、光量調整部２１の透過率を、入力された画像情報のコントラスト値などに基づいて制御する調光フィルター制御回路２３と、入力情報処理回路２２によって左右に分割された画像をそれぞれ画像出力部１で処理可能な形式にして出力する映像処理回路２４と、を有している。
【００２３】
画像出力部１は、画像処理部２から送信された画像情報に基づいて投影される画像を制御する映像表示制御回路１１と、光源などを制御するための映像出力駆動回路１２とを有している。
【００２４】
入力情報処理回路２２は、入力された画像情報が一体不可分であるか、適度に分割可能かどうかを判定する判定部としての機能を有している。
【００２５】
駆動部５は、図５に示すように、投影部３と画像出力部１とを一体に、Ｙ軸に平行な第１回転軸Ｏ１を回転中心として回動させる水平回転部５１を有している。
第１回転軸Ｏ１は、左側投影部３Ｌの−Ｘ方向側と、右側投影部３Ｒの＋Ｘ方向側とにそれぞれ位置するＹ軸に平行な仮想的な中心軸である。すなわち、第１回転軸Ｏ１は、投影部３の外周側の周縁部に位置している。
左側投影部３Ｌと右側投影部３Ｒとは、後述するように互いに独立に第１回転軸Ｏ１を回転中心として回動する。
【００２６】
かかる回動により、図５に示すように、使用者Ａの眼に入射する画像を構成する光Ｌの入射角度θが変化する。なお、図５、図６で示される入射角度θは、実際には眼の光軸ＺＲ、ＺＬに対して交差する角度を表す立体角であるが、簡単のため幾何学的な角度として表示する。
【００２７】
駆動部５はまた、図６に示すように、投影部３の＋Ｙ方向側の周縁部に位置する第２回転軸Ｏ２を回転中心として回動させる垂直回転部５２を有している。
第２回転軸Ｏ２は、左側投影部３Ｌと、右側投影部３Ｒとの＋Ｙ方向側の端部にそれぞれ位置するＸ軸に平行な仮想的な中心軸である。
左側投影部３Ｌと右側投影部３Ｒとは、後述するように互いに独立に第２回転軸Ｏ２を回転中心として回動する。
【００２８】
かかる回動により、図６に示すように、使用者Ａの眼に入射する画像を構成する光Ｌの入射角度θが変化する。
【００２９】
ところで、現在市販されている両眼型画像表示装置は、一般に２０度程度の水平視野角を有している。かかる水平視野角は、使用者Ａにとって、５０ｃｍ離れた位置から１０インチの液晶モニターを見ているのと等しい表示感覚である。
すなわち、２０インチ程度が標準である液晶モニターなどに比べて、表示可能な情報量が少ないという課題があった。
こうした課題を解決するために、両眼にそれぞれ配置された投影部３に異なる画像を表示して、情報量を倍に増やす試みが考えられている。
【００３０】
一般に、使用者Ａの右眼と左眼とで認識される画像を別個の画像として表すと、左眼には図７（ａ）に示すように表示され、右眼には図７（ｂ）に示すように表示される。
通常、人間の眼は、かかる左右の異なる画像を合成して視野を形成するので、このように単に左右の投影部３に異なる画像を写したのみでは、図７（ｃ）に示されるように、左右の画像が合成された態様で、１枚の画像として認識される。
【００３１】
人間の眼は、左右を完全に合成するわけではなく、左右の眼の両方の視界に入っている部分においては、どちらかの眼が主として、視界に見えるものを認識する。したがって、左右の眼に認識される画像が異なるときには、図７（ｃ）に示したように、非常に見え難い状態になることがある。
【００３２】
このような状態を防ぐために、画像領域Ｗを左右の眼の光軸ＺＲ、ＺＬに垂直な平面上で平行移動させる構成も考えられる。
しかしながら、発明者らの検討の結果、駆動部５を用いて画像を構成する光Ｌの眼への入射角度θを調整する構成が最も不快感や違和感なく左右の眼それぞれに表示された情報を認識できることがわかった。
【００３３】
かかる駆動部５を備えた画像表示装置１００を用いて、使用者Ａが外部の様子を確認しながら画像表示装置１００に表示される情報を読み取る方法について述べる。
【００３４】
画像処理部２は、入力情報処理回路２１を用いて、表示されるべき画像のデータに基づいて、画像が一体不可分であるか、適度に分割可能かどうかを判定する。例えば、２つの画像が所定の空白部分を空けて配置されたような画像データや、長文の文章データの場合などには、区切るのに適切な場所でデータを分割する。
画像処理部２は、投影するべき画像が一体不可分のものであった場合には、画像出力部１の左右に同一の画像を出力するように指示する。画像出力部１は、かかる指示に基づいて、左側投影部３Ｌと右側投影部３Ｒとに同一の画像を出力する。
このように左側投影部３Ｌと右側投影部３Ｒとに同一の画像を表示するときには、左右の画像の表示位置である画像領域Ｗは、左右の眼の視野内で一致していることが望ましい。
【００３５】
画像出力部１は、投影するべき画像が分割して表示可能なものであった場合には、画像処理部２の指示に基づいて左側投影部３Ｌと右側投影部３Ｒとに、左右で異なった画像を出力する。
このように左側投影部３Ｌと右側投影部３Ｒとでそれぞれ異なる画像を表示するときには、左右の画像の表示位置である画像領域Ｗは、左右の眼の視野内でそれぞれが互いに重複しないように配置されることが望ましい。
そこで、画像処理部２が決定する画像領域Ｗの表示位置に一致するように、駆動部５は投影部３を回動する。
【００３６】
具体的には、左側投影部３Ｌを、図５に示したＣ方向、図６に示したＥ方向にそれぞれ回動させる。
このとき、使用者Ａの眼に入射する光Ｌは、入射角度θが変化して、図８（ａ）に示すように、左側投影部３Ｌに表示される画像領域Ｗは、左眼の光軸ＺＬの中心から視野の左上方向へと移動したかのように見える。
同様に右側投影部３Ｒを図５に示したＤ方向、図６に示したＦ方向にそれぞれ回動させる。
このとき、同様に入射角度θが右目についても変化して、図８（ｂ）に示すように、右眼の光軸ＺＲの中心から視野の右下方向へと移動したかのように見える。
【００３７】
このように、駆動部５によって、左側投影部３Ｌと、右側投影部３Ｒとは、互いに独立して回動可能に支持されている。
また、水平回転部５１が第１回転軸Ｏ１を中心に投影部３を回動させることで、左右の眼に表示される画像の位置は、それぞれ左右に、互いに重複しないように調整される。
同様に、垂直回転部５２が第２回転軸Ｏ２を中心に投影部３を回動させることで、左右の眼に表示される画像の位置は、それぞれ上下に、互いに重複しないように調整される。
かかる構成により、使用者Ａは、図８（ｃ）に示すように、左右の画像が視野内で合成された１枚の画像としてみることが出来るから、左右それぞれの画像に記載された情報を認識することができる。
すなわち、視野内における画像から得られる情報量が向上して、画角が小さくとも情報量が増加する。
【００３８】
また、本実施形態においては、画像出力部１は、投影部３のそれぞれに異なる画像を出力し、画像表示装置１００は、異なる画像のそれぞれについて表示されるべき表示位置を決定する画像処理部２を有している。
また、駆動部５は、画像処理部が決定した表示位置に画像が表示されるように、入射角度θを調整する。
かかる構成により、複数の画像が同一視野内で配置されるから、視野内における画像から得られる情報量が向上して、画角が小さくとも情報量が増加する。
【００３９】
また、本実施形態においては、画像処理部２は、画像のそれぞれが互いに重複しないように、画像の表示位置を決定する。
かかる構成により、複数の画像が互いに重複しないように視野内で配置されるから、視野内における画像から得られる情報量が向上して、画角が小さくとも情報量が増加する。
【００４０】
また、本実施形態においては、駆動部５は、投影部３を眼の光軸ＺＲ、ＺＬに対して垂直な第１回転軸Ｏ１及び第１回転軸Ｏ１と眼の光軸ＺＲ、ＺＬとに対して垂直な第２回転軸Ｏ２を中心として回動させる。
かかる構成により、複数の画像が互いに重複しないように視野内で配置されるから、視野内における画像から得られる情報量が向上して、画角が小さくとも情報量が増加する。
【００４１】
なお、ここでは駆動部５の回転中心たる第１回転軸Ｏ１と第２回転軸Ｏ２とは何れも眼の光軸ＺＲ、ＺＬに対して垂直な方向の仮想的な軸であるとしたが、何れかが光軸に対して平行な軸であっても良い。
【００４２】
また、本実施形態では、使用者Ａの視野内において、画像の表示位置における外光Ｌ’の光量を制限するための光量調整手段２１を有している。
かかる構成により、外光Ｌ’と、画像出力装置１から出力される光Ｌとの間のコントラスト差を抑制して、視認性が向上する。
また、本実施形態では、光量調整手段２１は、エレクトロクロミック素子を用いてる。
かかる構成により、透過率の調整幅が大きく、かつ電気的に制御できるので、容易に外光Ｌ’と、画像出力装置１から出力される光Ｌとの間のコントラスト差を抑制して、視認性が向上する。
【００４３】
以下、かかる画像表示装置１００の具体的な実施例として、実施例１、２を示す。
なお、以降の説明においては、上述した実施形態と同一の符号を付して説明を適宜省略する。
【００４４】
＜実施例１＞
画像出力部１として、ＭｏｖｅｒｉｏＢＴ２００（エプソン社製）に用いられるものと同様の透過型の画像投影装置を、左右独立して異なる画像を表示可能になるようにして画像表示装置１００を作成した。
画像表示装置１００の筐体部１０１の側面部分には、ボールジョイントとアームを用いた水平回転部５１が取り付けられ、左側投影部３Ｌと右側投影部３Ｒとが独立して水平方向に回動可能となるように支持されている。
【００４５】
表示される画像としては、図９（ａ）に示すように、左側投影部３Ｌに複写機の操作パネルの写真を表示し、図９（ｂ）に示すように、右側投影部３Ｒには操作パネルの取扱説明書を表示した。
使用者Ａは、左側投影部３Ｌと右側投影部３Ｒとが、水平方向に並んで図９（ｃ）に示すように配置されるように、水平回転部５１によって左側投影部３Ｌと右側投影部３Ｒとの位置を調整した。
【００４６】
使用者Ａは、このように調整された投影部３を見て、右眼に表示された文書を読みながら左眼に表示された画像を確認し、実物の複写機の操作を行った。
このとき、１０名の使用者が操作完了までにかかった平均時間は表１に後述するように、７秒であった。
【００４７】
＜実施例２＞
画像出力部１として、ＭｏｖｅｒｉｏＢＴ２００（エプソン社製）に用いられるものと同様の透過型の画像投影装置を、左右独立して異なる画像を表示可能になるようにして画像表示装置１００を作成した。
筐体部１０１にはゴーグル型めがね（山本光学社製）を用いた。
筐体部１０１のテンプル両端に、超小型ギヤードモーター（日本電産コパル社製）を取り付けて、左側投影部３Ｌと右側投影部３Ｒとが、Ｅ方向、Ｆ方向にそれぞれ独立して回動するように支持した。すなわち、本実施例における垂直回転部５２は、投影部３の＋Ｙ方向の周縁部に配置された超小型ギヤードモーターである。
【００４８】
画像領域Ｗに表示される画像としては、前半部分と後半部分とに分割可能な一連の文章を設定した。
画像処理部２は、かかる文章を前半部分と後半部分とに分割して、図１０（ａ）に示すように、左側投影部３Ｌに文章の前半部分を表示し、右側投影部３Ｒには図１０（ｂ）に示すように、文章の後半部分を表示した。
使用者Ａは、左側投影部３Ｌと右側投影部３Ｒとが、上下方向に並んで図１０（ｃ）に示すように配置されるように、垂直回転部５２によって左側投影部３Ｌと右側投影部３Ｒとの位置を調整した。
【００４９】
使用者Ａは、このように調整された投影部３を見て、一連の文章が問題なく読み取れることを確認した。
また、めがね型の筐体を用いたことで、頭部への威圧感なく文章を読むことが出来た。
【００５０】
＜比較例１＞
本実施形態の比較例として、画像表示装置として市販のＭｏｖｅｒｉｏＢＴ２００（エプソン社製）を用いて、両眼に同一の画像を表示した。
画像領域Ｗに表示する画像には、実施例１に示した左側投影部３Ｌに表示した画像と、右側投影部３Ｒに表示した画像とが所定の時間毎に交互に表示されるようにした。
このとき使用者１０名の操作完了に要する時間の平均値は、１２秒であった。
【００５１】
＜比較例２＞
本実施形態の比較例として、実施例１に示した左側投影部３Ｌに表示した画像と、右側投影部３Ｒに表示した画像とを紙に印刷した作業指示書を用いて作業を行った。
このとき使用者１０名の操作完了に要する時間の平均値は、１５秒であった。
【００５２】
【表１】
2017211425.tif 000004
【００５３】
以上本発明の好ましい実施の形態について説明したが、本発明はかかる特定の実施形態に限定されるものではなく、上述の説明で特に限定していない限り、特許請求の範囲に記載された本発明の趣旨の範囲内において、種々の変形・変更が可能である。
【００５４】
例えば、上記実施形態においては、光量調整部２１は画像領域Ｗを含む大きさで配置されるとしたが、かかる構成に限るものではなく、光量調整部２１が外光Ｌ’を抑制する範囲は、使用者Ａの視認性を向上させるように様々な位置に配置しても良い。
【００５５】
また、上記実施形態においては、眼鏡型の画像表示装置について述べたが、その他の構成であっても良い。
また、上記実施形態においては、第１回転軸と第２回転軸は何れも使用者Ａの眼の光軸に対して垂直で互いに垂直な２方向の回転軸であるとしたが、第１回転軸と第２回転軸との何れか１方が眼の光軸に平行な回転軸であっても良い。
【００５６】
本発明の実施の形態に記載された効果は、本発明から生じる最も好適な効果を列挙したに過ぎず、本発明による効果は、本発明の実施の形態に記載されたものに限定されるものではない。
【符号の説明】
【００５７】
１          画像出力部
２          画像処理部
３          虚像形成部（投影部）
３Ｒ        右側投影部
３Ｌ        左側投影部
５          角度調整部（駆動部）
２１        光量調整部
１００      両眼型画像表示装置（画像表示装置）
１０１      筐体部
θ          入射角度
Ｌ          画像を構成する光（光）
Ｌ’        外光
Ｏ１        回転中心（第１回転軸）
Ｏ２        回転中心（第２回転軸）
Ｗ          画像が表示されるべき位置（画像領域）
ＺＬ        左眼の光軸
ＺＲ        右眼の光軸
【先行技術文献】
【特許文献】
【００５８】
【特許文献１】特許第３７１７６５３号公報
【特許文献２】特許第４８１７４２５号公報
【特許文献３】特許第５１３８６３６号公報
【特許文献４】特許第４２６８４１５号公報
【図１】
2017211425.tif 000005
【図２】
2017211425.tif 000006
【図３】
2017211425.tif 000007
【図４】
2017211425.tif 000008
【図５】
2017211425.tif 000009
【図６】
2017211425.tif 000010
【図７】
2017211425.tif 000011
【図８】
2017211425.tif 000012
【図９】
2017211425.tif 000013
【図１０】
2017211425.tif 000014